(57)【特許請求の範囲】
【請求項１】
携帯端末と、利用者端末と、複数の仮想世界をそれぞれ実現する複数の仮想世界サーバを統括制御する管理サーバと、からなる仮想空間管理システムであって、
前記携帯端末は、撮像機能と位置情報取得機能を備え、前記管理サーバに少なくとも当該携帯端末のユーザＩＤと個体識別情報と位置情報とを予め登録しており、
前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録しており、
前記管理サーバは、
前記携帯端末のユーザＩＤと前記個体識別情報と前記位置情報と、前記利用者端末のユーザＩＤと前記電子メールアドレスと前記アバター名を含む登録情報と、を少なくとも保持する記憶手段と、
前記利用者端末より送信された当該利用者端末のユーザＩＤと前記電子メールアドレスと前記アバター名を取得し、前記記憶手段に格納して管理する登録情報取得管理手段と、
前記携帯端末より送信された当該携帯端末のユーザＩＤと前記個体識別情報と前記位置情報とを取得し、前記記憶手段に格納して管理する個体識別情報取得管理手段と、
前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出する接触検出手段と、
前記携帯端末から送信された位置情報を取得し前記記憶手段に格納し管理する位置情報取得手段と、
前記利用者端末で表示可能なコード情報を送信し、当該利用者端末で仮想世界におけるアバターの活動に係る特有のコード情報として表示するよう制御する表示制御手段と、
前記携帯端末の前記撮像機能により前記利用者端末に表示した前記コード情報を撮像して得られたコードの解析結果であるコード解析情報を前記携帯端末から取得し、上記記憶手段に格納して管理するコード解析情報取得管理手段と、
前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限する主制御手段と、
を備え、
前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限する
仮想空間管理システム。
【請求項２】
前記仮想世界はアバターが参加可能な研修に関わるものであり、
前記管理サーバは、前記仮想世界サーバにより仮想世界で実施される研修に関わるポイントを管理するポイント管理手段を更に備えており、
前記管理サーバにおいて、前記主制御手段は、前記コード解析情報取得管理手段により前記コード解析情報を取得すると、前記所定の演算として当該コード解析情報に対応するポイントを換算し、当該ポイントを前記研修に関わるものとして前記ポイント管理手段に登録する
請求項１に記載の仮想空間管理システム。
【請求項３】
前記管理サーバにおいて、前記主制御手段は、前記ポイント管理手段にて、前記研修の開始に係る第１の時間と前記研修の終了に係る第２の時間のそれぞれでポイントを確認した場合に、はじめて出席とみなすように処理を２回行い管理する
請求項２記載の仮想空間管理システム。
【請求項４】
前記仮想世界はアバターが参加可能な研修に関わるものであり、
前記管理サーバは、仮想世界サーバにより一の仮想世界で実施される研修に参加する複数のユーザに係る複数のアバターで構成されるグループのグループポイントを管理するポイント管理手段を更に備えており、
前記管理サーバにおいて、前記主制御手段は、前記コード解析情報取得管理手段により前記コード解析情報を取得すると、前記所定の演算として当該コード解析情報に対応するポイントを換算し、前記ユーザの前記利用者端末の前記ユーザＩＤに対応するグループを特定し、前記ポイントを当該グループのポイントとして前記ポイント管理手段に登録する
請求項１に仮想空間管理システム。
【請求項５】
携帯端末と、利用者端末と、複数の仮想世界をそれぞれ実現する複数の仮想世界サーバを統括制御する管理サーバと、からなり、前記携帯端末は、撮像機能と位置情報取得機能を備え、前記管理サーバに少なくとも当該携帯端末のユーザＩＤと個体識別情報と位置情報とを予め登録しており、前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録している、仮想空間管理システムに用いられる管理サーバであって、
前記携帯端末のユーザＩＤと前記個体識別情報と前記位置情報と、前記利用者端末のユーザＩＤと前記電子メールアドレスと前記アバター名を含む登録情報と、を少なくとも保持する記憶手段と、
前記利用者端末より送信された当該利用者端末のユーザＩＤと前記電子メールアドレスと前記アバター名を取得し、前記記憶手段に格納して管理する登録情報取得管理手段と、
前記携帯端末より送信された当該携帯端末のユーザＩＤと前記個体識別情報と前記位置情報とを取得し、前記記憶手段に格納して管理する個体識別情報取得管理手段と、
前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出する接触検出手段と、
前記携帯端末から送信された位置情報を取得し前記記憶手段に格納し管理する位置情報取得手段と、
前記利用者端末で表示可能なコード情報を送信し、当該利用者端末で仮想世界におけるアバターの活動に係る特有のコード情報として表示するよう制御する表示制御手段と、
前記携帯端末の前記撮像機能により前記利用者端末に表示した前記コード情報を撮像して得られたコードの解析結果であるコード解析情報を前記携帯端末から取得し、上記記憶手段に格納して管理するコード解析情報取得管理手段と、
前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限する主制御手段と、
を備え、
前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限する
管理サーバ。
【請求項６】
前記仮想世界はアバターが参加可能な研修に関わるものであり、
前記仮想世界サーバにより仮想世界で実施される研修に関わるポイントを管理するポイント管理手段を更に備えており、
前記主制御手段は、前記コード解析情報取得管理手段により前記コード解析情報を取得すると、前記所定の演算として当該コード解析情報に対応するポイントを換算し、当該ポイントを前記研修に関わるものとして前記ポイント管理手段に登録する
請求項５に記載の管理サーバ。
【請求項７】
前記主制御手段は、前記ポイント管理手段にて、前記研修の開始に係る第１の時間と前記研修の終了に係る第２の時間のそれぞれでポイントを確認した場合に、はじめて出席とみなすように処理を２回行い管理する
請求項６記載の管理サーバ。
【請求項８】
前記仮想世界はアバターが参加可能な研修に関わるものであり、
前記仮想世界サーバにより一の仮想世界で実施される研修に参加する複数のユーザに係る複数のアバターで構成されるグループのグループポイントを管理するポイント管理手段を更に備えており、
前記主制御手段は、前記コード解析情報取得管理手段により前記コード解析情報を取得すると、前記所定の演算として当該コード解析情報に対応するポイントを換算し、前記ユーザの前記利用者端末の前記ユーザＩＤに対応するグループを特定し、前記ポイントを当該グループのポイントとして前記ポイント管理手段に登録する
請求項５に管理サーバ。
【請求項９】
携帯端末と、利用者端末と、複数の仮想世界をそれぞれ実現する複数の仮想世界サーバを統括制御する管理サーバと、からなる仮想空間管理システムによる仮想空間管理方法であって、
前記携帯端末は、撮像機能と位置情報取得機能を備え、前記管理サーバに少なくとも当該携帯端末のユーザＩＤと個体識別情報と位置情報とを予め登録しており、
前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録しており、
前記管理サーバは、
記憶手段により、前記携帯端末のユーザＩＤと前記個体識別情報と前記位置情報と、前記利用者端末のユーザＩＤと前記電子メールアドレスと前記アバター名を含む登録情報と、を少なくとも保持し、
登録情報取得管理手段により、前記利用者端末より送信された当該利用者端末のユーザＩＤと前記電子メールアドレスと前記アバター名を取得し、前記記憶手段に格納して管理し、
個体識別情報取得管理手段により、前記携帯端末より送信された当該携帯端末のユーザＩＤと前記個体識別情報と前記位置情報とを取得し、前記記憶手段に格納して管理し、
接触検出手段により、前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出し、
位置情報取得手段により、前記携帯端末から送信された位置情報を取得し前記記憶手段に格納し管理し、
表示制御手段により、前記利用者端末で表示可能なコード情報を送信し、当該利用者端末で仮想世界におけるアバターの活動に係る特有のコード情報として表示するよう制御し、
コード解析情報取得管理手段により、前記携帯端末の前記撮像機能により前記利用者端末に表示した前記コード情報を撮像して得られたコードの解析結果であるコード解析情報を前記携帯端末から取得し、上記記憶手段に格納して管理し、
主制御手段により、前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限すること、
を有し、特に、
前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限する
仮想空間管理方法。
【請求項１０】
携帯端末と、利用者端末と、複数の仮想世界をそれぞれ実現する複数の仮想世界サーバを統括制御する管理サーバと、からなり、前記携帯端末は、撮像機能と位置情報取得機能を備え、前記管理サーバに少なくとも当該携帯端末のユーザＩＤと個体識別情報と位置情報とを予め登録しており、前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録しており、前記管理サーバは、前記携帯端末のユーザＩＤと前記個体識別情報と前記位置情報と、前記利用者端末のユーザＩＤと前記電子メールアドレスと前記アバター名を含む登録情報と、を少なくとも保持する記憶手段を備えている、仮想空間管理システムに用いられる管理サーバにおいて実行されるプログラムであって、
前記管理サーバが、
前記利用者端末より送信された当該利用者端末のユーザＩＤと前記電子メールアドレスと前記アバター名を取得し、前記記憶手段に格納して管理する登録情報取得管理手段と、
前記携帯端末より送信された当該携帯端末のユーザＩＤと前記個体識別情報と前記位置情報とを取得し、前記記憶手段に格納して管理する個体識別情報取得管理手段と、
前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出する接触検出手段と、
前記携帯端末から送信された位置情報を取得し前記記憶手段に格納し管理する位置情報取得手段と、
前記利用者端末で表示可能なコード情報を送信し、当該利用者端末で仮想世界におけるアバターの活動に係る特有のコード情報として表示するよう制御する表示制御手段と、
前記携帯端末の前記撮像機能により前記利用者端末に表示した前記コード情報を撮像して得られたコードの解析結果であるコード解析情報を前記携帯端末から取得し、上記記憶手段に格納して管理するコード解析情報取得管理手段と、
前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限する主制御手段と、
として機能し、特に
前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限するよう機能する
プログラム。
【発明の詳細な説明】
【技術分野】
【０００１】
本発明は、複数の仮想空間にわたる行動等を管理する管理サーバ、仮想空間管理システム、仮想空間管理方法及びプログラムに関する。
【背景技術】
【０００２】
今日、仮想世界では、現実の世界でのイベントと同等のイベントを仮想的に体験できるようになっており、体験できる活動は多岐にわたっている。このような仮想世界での活動を体験するためには、予め各ユーザは自身に代わって仮想世界で活動するアバター名とE-Mailアドレス等を、仮想世界を提供するプロバイダサーバにアクセスして登録し、その上で、所望とする仮想世界にログインすることになる。
【０００３】
このような活動の一つとして、例えば、特許文献１では、ユーザのアバターの位置と他のユーザのアバターの位置を決定するとともに、ユーザがあらかじめ登録した情報に基づいて他のユーザのアバターを配置し、更にユーザの入退室を記録する仮想空間表示方法に係る技術が開示されている。
【先行技術文献】
【特許文献】
【０００４】
【特許文献１】特開２００７−３２８３９３号公報
【発明の概要】
【発明が解決しようとする課題】
【０００５】
しかしながら、複数の仮想空間が提供されている中、各仮想空間に関わるユーザのアバター名とe-mailアドレスを対応付けて把握することはできても、複数の仮想空間にわたり活動するユーザのアバター名を関連付けることはできない。仮想空間毎に登録されているアバター名とE-Mailアドレスは別途に異なるからである。
【０００６】
また、登録されているアバター名とe-mailアドレスが異なることから、ユーザ自身の同一性も把握することができず、複数の仮想空間にわたる活動の関連性も管理することができない。さらに、アバター名とe-mailアドレスのみでは、同一性の確認のセキュアレベルも不十分であり、不正ななりすまし等がなされるおそれもある。
【０００７】
そこで、本発明は、複数の仮想空間にわたるアバターの行動を管理し、そのアバターに係る主体を的確に認識し、不正ななりすまし等を防止することを課題とする。
【課題を解決するための手段】
【０００８】
本発明の第１の観点による仮想空間管理システムは、携帯端末と、利用者端末と、複数の仮想世界をそれぞれ実現する複数の仮想世界サーバを統括制御する管理サーバと、からなる仮想空間管理システムであって、前記携帯端末は、撮像機能と位置情報取得機能を備え、前記管理サーバに少なくとも当該携帯端末のユーザＩＤと個体識別情報と位置情報とを予め登録しており、前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録しており、前記管理サーバは、前記携帯端末のユーザＩＤと前記個体識別情報と前記位置情報と、前記利用者端末のユーザＩＤと前記電子メールアドレスと前記アバター名を含む登録情報と、を少なくとも保持する記憶手段と、前記利用者端末より送信された当該利用者端末のユーザＩＤと前記電子メールアドレスと前記アバター名を取得し、前記記憶手段に格納して管理する登録情報取得管理手段と、前記携帯端末より送信された当該携帯端末のユーザＩＤと前記個体識別情報と前記位置情報とを取得し、前記記憶手段に格納して管理する個体識別情報取得管理手段と、前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出する接触検出手段と、前記携帯端末から送信された位置情報を取得し前記記憶手段に格納し管理する位置情報取得手段と、前記利用者端末で表示可能なコード情報を送信し、当該利用者端末で仮想世界におけるアバターの活動に係る特有のコード情報として表示するよう制御する表示制御手段と、前記携帯端末の前記撮像機能により前記利用者端末に表示した前記コード情報を撮像して得られたコードの解析結果であるコード解析情報を前記携帯端末から取得し、上記記憶手段に格納して管理するコード解析情報取得管理手段と、前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限する主制御手段と、を備え、前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限する。
【０００９】
本発明の第２の観点による管理サーバは、携帯端末と、利用者端末と、複数の仮想世界をそれぞれ実現する複数の仮想世界サーバを統括制御する管理サーバと、からなり、前記携帯端末は、撮像機能と位置情報取得機能を備え、前記管理サーバに少なくとも当該携帯端末のユーザＩＤと個体識別情報と位置情報とを予め登録しており、前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録している、仮想空間管理システムに用いられる管理サーバであって、前記携帯端末のユーザＩＤと前記個体識別情報と前記位置情報と、前記利用者端末のユーザＩＤと前記電子メールアドレスと前記アバター名を含む登録情報と、を少なくとも保持する記憶手段と、前記利用者端末より送信された当該利用者端末のユーザＩＤと前記電子メールアドレスと前記アバター名を取得し、前記記憶手段に格納して管理する登録情報取得管理手段と、前記携帯端末より送信された当該携帯端末のユーザＩＤと前記個体識別情報と前記位置情報とを取得し、前記記憶手段に格納して管理する個体識別情報取得管理手段と、
前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出する接触検出手段と、前記携帯端末から送信された位置情報を取得し前記記憶手段に格納し管理する位置情報取得手段と、前記利用者端末で表示可能なコード情報を送信し、当該利用者端末で仮想世界におけるアバターの活動に係る特有のコード情報として表示するよう制御する表示制御手段と、前記携帯端末の前記撮像機能により前記利用者端末に表示した前記コード情報を撮像して得られたコードの解析結果であるコード解析情報を前記携帯端末から取得し、上記記憶手段に格納して管理するコード解析情報取得管理手段と、前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限する主制御手段と、を備え、前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限する。
【００１０】
本発明の第３の観点による仮想空間管理方法は、携帯端末と、利用者端末と、複数の仮想世界をそれぞれ実現する複数の仮想世界サーバを統括制御する管理サーバと、からなる仮想空間管理システムによる仮想空間管理方法であって、前記携帯端末は、撮像機能と位置情報取得機能を備え、前記管理サーバに少なくとも当該携帯端末のユーザＩＤと個体識別情報と位置情報とを予め登録しており、前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録しており、前記管理サーバは、記憶手段により、前記携帯端末のユーザＩＤと前記個体識別情報と前記位置情報と、前記利用者端末のユーザＩＤと前記電子メールアドレスと前記アバター名を含む登録情報と、を少なくとも保持し、登録情報取得管理手段により、前記利用者端末より送信された当該利用者端末のユーザＩＤと前記電子メールアドレスと前記アバター名を取得し、前記記憶手段に格納して管理し、個体識別情報取得管理手段により、前記携帯端末より送信された当該携帯端末のユーザＩＤと前記個体識別情報と前記位置情報とを取得し、前記記憶手段に格納して管理し、接触検出手段により、前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出し、位置情報取得手段により、前記携帯端末から送信された位置情報を取得し前記記憶手段に格納し管理し、表示制御手段により、前記利用者端末で表示可能なコード情報を送信し、当該利用者端末で仮想世界におけるアバターの活動に係る特有のコード情報として表示するよう制御し、コード解析情報取得管理手段により、前記携帯端末の前記撮像機能により前記利用者端末に表示した前記コード情報を撮像して得られたコードの解析結果であるコード解析情報を前記携帯端末から取得し、上記記憶手段に格納して管理し、主制御手段により、前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限すること、を有し、特に、前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限する。
【００１１】
本発明の第４の観点によるプログラムは、携帯端末と、利用者端末と、複数の仮想世界をそれぞれ実現する複数の仮想世界サーバを統括制御する管理サーバと、からなり、前記携帯端末は、撮像機能と位置情報取得機能を備え、前記管理サーバに少なくとも当該携帯端末のユーザＩＤと個体識別情報と位置情報とを予め登録しており、前記利用者端末は、前記仮想世界サーバごとに当該利用者端末のユーザＩＤと電子メールアドレスとアバター名を含む登録情報とを登録しており、前記管理サーバには少なくとも１つの仮想世界サーバに登録している当該利用者端末のユーザＩＤと電子メールアドレスとアバター名を含む登録情報を登録しており、前記管理サーバは、前記携帯端末のユーザＩＤと前記個体識別情報と前記位置情報と、前記利用者端末のユーザＩＤと前記電子メールアドレスと前記アバター名を含む登録情報と、を少なくとも保持する記憶手段を備えている、仮想空間管理システムに用いられる管理サーバにおいて実行されるプログラムであって、前記管理サーバが、前記利用者端末より送信された当該利用者端末のユーザＩＤと前記電子メールアドレスと前記アバター名を取得し、前記記憶手段に格納して管理する登録情報取得管理手段と、前記携帯端末より送信された当該携帯端末のユーザＩＤと前記個体識別情報と前記位置情報とを取得し、前記記憶手段に格納して管理する個体識別情報取得管理手段と、前記利用者端末のユーザＩＤに対応するアバターが前記仮想世界サーバにより提供される仮想世界におけるオブジェクトに接触した旨を、前記仮想世界サーバより送信された前記利用者端末のユーザＩＤとアバター名と当該仮想世界を特定するワールドＩＤとを含む接触情報を受けることで検出する接触検出手段と、前記携帯端末から送信された位置情報を取得し前記記憶手段に格納し管理する位置情報取得手段と、前記利用者端末で表示可能なコード情報を送信し、当該利用者端末で仮想世界におけるアバターの活動に係る特有のコード情報として表示するよう制御する表示制御手段と、前記携帯端末の前記撮像機能により前記利用者端末に表示した前記コード情報を撮像して得られたコードの解析結果であるコード解析情報を前記携帯端末から取得し、上記記憶手段に格納して管理するコード解析情報取得管理手段と、前記利用者端末のユーザＩＤと対応付けられている前記アバター名と前記携帯端末のユーザＩＤと対応付けられている前記個体識別情報とにより仮想世界におけるユーザを認識し、少なくとも前記接触情報及び前記携帯端末の位置情報の取得により前記利用者端末にて表示されたコード情報の前記携帯端末による撮像、解析結果を受け、所定の演算を行い、前記仮想世界における前記アバターとしての活動を制限する主制御手段と、として機能し、特に前記管理サーバでは、前記登録情報取得管理手段により前記ワールドＩＤごとに前記利用者端末のユーザＩＤと前記電子メールアドレスと前記アバター名を特定し、前記個体識別情報取得管理手段により前記携帯端末のユーザＩＤと前記個体識別情報と前記位置情報とを特定し、前記主制御手段により前記アバター名と前記個体識別情報とを対応付け、前記接触検出手段により、前記仮想世界サーバより送信された前記接触情報を受けることで前記接触を検出し、前記位置情報取得手段により前記携帯端末の位置情報を取得すると、前記主制御手段は、この取得した位置情報と前記記憶手段に記憶されている前記携帯端末の前記位置情報とを比較し、両者が一致している場合に前記表示制御手段により前記利用者端末にて前記仮想世界においてコード情報が表示されるように制御し、前記携帯端末により、前記利用者端末にて表示された前記特有のコード情報が前記撮像機能により撮像され、コード解析情報が前記管理サーバに送信されると、前記管理サーバでは、前記コード解析情報取得管理手段により前記携帯端末からの前記コード解析情報を取得し、前記主制御手段により所定の演算を行い同一性を認識し、その演算結果に基づいて、前記複数の仮想世界にわたり、前記アバターの前記仮想世界サーバが運営する特定の仮想世界での活動を即時に制限するよう機能する。
【００１２】
本発明の第５の観点による管理サーバは、３ＤＣＧデータのチェック用数値データであるチェックサムを生成し、当該チェックサムからＱＲコードを生成するＱＲコード生成手段と、少なくとも、上記ＱＲコードと、当該ＱＲコードが付される３ＤＣＧデータと、当該３ＤＣＧデータの著作権情報とを対応付けて管理する著作権管理データベースと、携帯電話機により３ＤＣＧデータに付されたＱＲコードが撮影された場合には、上記著作権管理データベースに基いて、そのＱＲコードが付された３ＤＣＧデータが誰の所有にかかるものであるのか著作権情報を提示するように促す著作権管理手段とを備える。
【発明の効果】
【００１３】
本発明によれば、複数の仮想空間にわたるアバターの行動を管理し、そのアバターに係る主体を的確に認識し、不正ななりすまし等を防止する管理サーバ、仮想空間管理システム、仮想空間管理方法及びプログラムを提供することができる。
【図面の簡単な説明】
【００１４】
【図１】本発明の第１〜第３の実施の形態に係る仮想空間管理システムの構成図。
【図２】本発明の第１〜第３の実施の形態に係る仮想空間管理システムの管理サーバの詳細な構成を示す図。
【図３】本発明の第１〜第３の実施の形態に係る仮想空間管理システムの管理サーバが採用するＤＢのリレーショナルな関係を示す図。
【図４】本発明の第１〜第３の実施の形態に係る仮想空間管理システムによる管理手順、即ち仮想空間管理方法の処理の流れを示すフローチャート。
【図５】本発明の第２の実施の形態に係る仮想空間管理システムをスタンプラリーの実施の適用した場合の処理手順を概念的に示す図。
【図６】本発明の第３の実施の形態に係る仮想空間管理システムを研修の実施の適用した場合の処理手順を概念的に示す図。
【図７】本発明の第４の実施の形態に係る仮想空間管理システムをビデオ上映の実施に適用した場合の処理手順を概念的に示す図。
【図８】本発明の第５の実施形態に係る仮想空間管理システムの管理サーバの詳細な構成を示す図である。
【図９】本発明の第５の実施形態に係る仮想空間管理システムの管理サーバが採用する著作権管理ＤＢの一例を示す図である。
【発明を実施するための形態】
【００１５】
以下、図面を参照して、本発明の実施の形態について詳述する。
【００１６】
（第１の実施の形態）
【００１７】
図１には、本発明の第１の実施の形態に係る仮想空間管理システムの構成を示し説明する。この図１に示されるように、この仮想空間管理システムは、管理サーバ１と利用者端末２ａ，２ｂ...、携帯端末としての携帯電話機３、仮想世界（以下、ＶＷという）サーバ４ａ，４ｂ，...４ｎ（ｎは自然数）がネットワーク５を介して通信自在に接続され、構成されている。
【００１８】
以下、利用者端末２ａ，２ｂ...を総称するときは、符号２を用いる。そして、ＶＷサーバ４ａ，４ｂ，...４ｎを総称するときは、符号４を用いる。
【００１９】
このような構成において、複数の仮想世界ＶＷｎでの活動等を統括管理する管理サーバ１は、詳細は後述する各種データベース（以下、ＤＢという）を用いて各種情報を管理している。ＶＷサーバ４ａ，４ｂ，４ｎ...は、各仮想世界ＶＷ１，ＶＷ２，...,ＶＷｎを提供する。利用者端末２は、ＶＷサーバ４に各ＶＷｎで活動するためのアバター名とe-mailアドレスを登録した後、該アバター名Ａ１，Ａ２...Ａｎにより各仮想世界ＶＷｎで実施される各種のイベントを仮想体験する。携帯電話機３は、利用者端末２の表示画面６に表示されたコード情報７を読み取り（撮像）、該コード情報７を解析した後、コード解析情報を個体識別情報と共にネットワーク５を介して管理サーバ１に送信する。管理サーバ１には、複数の仮想世界Ｖｎに関わるユーザのアバター名とe-mailアドレス等を統括管理しているが、この個体識別情報を更に対応付けて管理する。
【００２０】
したがって、管理サーバ１により、複数の利用者端末２ａ，２ｂ...により登録されたユーザの各仮想世界ＶＷ１，ＶＷ，...ＶＷｎでのアバター名Ａ１，Ａ２，...Ａｎを特定することが可能となっている。
【００２１】
図２には、管理サーバ１の詳細な構成を示し説明する。
【００２２】
この図２に示されるように、管理サーバ１は、全体の制御を司る制御部１１、通信インタフェース（以下、Ｉ／Ｆという）１２、表示部１３、記憶部１４からなる。
【００２３】
記憶部１４では、複数のＤＢ１４ａ〜１４ｌにより情報が管理されている。
【００２４】
制御部１１は、プログラム１００を記憶部１４から読み出し実行することで、登録情報取得管理機能１１ａ、個体識別情報取得管理機能１１ｂ、表示制御機能１１ｃ、接触検出機能１１ｄ、位置情報取得機能１１ｅ、コード情報取得管理機能１１ｆ、主制御機能１１ｇを実現する。
【００２５】
このような構成において、登録情報取得管理機能１１ａによれば、利用者端末２から送信された登録情報を取得し、管理することができる。個体識別情報取得管理機能１１ｂによれば、携帯電話機３から送信された個体識別情報を取得し、管理することができる。表示制御機能１１ｃによれば、例えば携帯電話機３から送信されたコード解析情報に従って利用者端末２の表示画面６に所定の表示を行うよう促すことができる。接触検出機能１１ｄによれば、各仮想世界ＶＷ１，ＶＷ２，...ＶＷｎにおけるオブジェクトに対するアバターの接触を検出することができる。位置情報取得機能１１ｅによれば、携帯電話機３の位置情報を取得し管理することができる。コード解析情報取得管理機能１１ｆによれば、携帯電話機３から送られたコード解析情報を取得し、管理することができる。そして、主制御機能１１ｇによれば、全体の制御をすることができる。特に、主制御機能１１ｇによれば、複数の仮想世界ＶＷ１〜ＶＷｎにわたり行動するアバターの同一性、つまりユーザの同一性を検出することができる。
【００２６】
図３には、記憶部１４に記憶されている各ＤＢ１４ａ〜１４ｌにて管理している情報の詳細、並びに各ＤＢ１４ａ〜１４ｌのリレーショナルな関係を示し説明する。
【００２７】
図３に示されるように、ユーザ管理ＤＢ１４ａでは、少なくともユーザＩＤ、ログインＩＤ、パスワード、ユーザ名、e-mailアドレス等が対応付けられて管理されている。モバイル管理ＤＢ１４ｂでは、少なくともモバイルＩＤ、個体識別情報、ユーザＩＤ、モバイルe-mailアドレス、位置情報等が対応付けられて管理されている。アバター管理ＤＢ１４ｃでは、少なくともアバターＩＤ、ユーザＩＤ、ワールドＩＤ、アバター名が対応付けられて管理されている。ワールド管理ＤＢ１４ｄでは、少なくともワールドＩＤ、ＶＷ名が対応付けられて管理されている。位置管理ＤＢ１４ｅでは、少なくとも位置ＩＤ、ワールドＩＤ、位置名、ヒント情報、ポイント（得点等）等が対応付けられて管理されている。接触情報管理ＤＤ１４ｆでは、少なくとも接触情報ＩＤが管理されている。ステータス管理ＤＢ１４ｇでは、少なくともステータスＩＤ、グループＩＤ、グループメンバＩＤ、ワールドＩＤ、位置ＩＤ、ステータス等が対応付けられて管理されている。
【００２８】
ポイント管理ＤＢ１４ｈでは、少なくともポイントＩＤ、グループＩＤ、グループメンバＩＤ、ワールドＩＤ、位置ＩＤ、ポイント等が対応付けられて管理されている。特別ステータス管理ＤＢ１４ｉでは、特別ステータスＩＤ、グループＩＤ、ワールドＩＤ、位置ＩＤ、ステータス等が対応付けられて管理されている。グループメンバ管理ＤＢ１４ｊでは、少なくともグループメンバＩＤ、グループＩＤ、ユーザＩＤ等が対応付けられて管理されている。そして、グループ管理ＤＢ１４ｌでは、少なくともグループＩＤ、グループ名等が対応付けられて管理されている。尚、ＤＢはこれらには限定されない。
【００２９】
このようなＤＢ１４ａ〜１４ｌは、相互間で以下のリレーショナルな関係を持つ。
【００３０】
即ち、ユーザ管理ＤＢ１４ａとモバイル管理ＤＢ１４ｂの各管理（登録）情報はユーザＩＤにより関連付けられており、ユーザ管理ＤＢ１４ａとアバター管理ＤＢ１４ｃの各管理情報はユーザＩＤにより関連付けられている。そして、アバター管理ＤＢ１４ｃとワールド管理ＤＢ１４ｄはワールドＩＤにより関連付けられている。これらの関係により、モバイル管理ＤＢ１４ｂの個体識別情報、ユーザ管理ＤＢ１４ａのe-mailアドレス、アバター管理ＤＢ１４ｃのアバター名、ワールド管理ＤＢ１４ｄのＶＷ名が関連付けられている。即ち、複数の仮想世界にわたり行動するアバターを特定することが可能となる。
【００３１】
ワールド管理ＤＢ１４ｄは、位置管理ＤＢ１４ｅ、ステータス管理ＤＢ１４ｇ、ポイント管理ＤＢ１４ｈ、特別ステータス管理ＤＢ１４ｉの各管理情報とワールドＩＤにより関連付けられている。そして、位置管理ＤＢ１４ｅは、ポイント管理ＤＢ１４ｈ、特別ステータス管理ＤＢ１４ｉと位置ＩＤにより関連付けられている。即ち、ワールド管理ＤＢ１４ｄのＶＷ名、位置管理ＤＢ１４ｅの位置名、ポイント管理ＤＢ１４ｈのポイント等が関連付けられている。つまり、換言すれば、ユーザがアバター名で行動している仮想空間のＶＷ名とそのときの位置、ポイントが関連付けられることになる。
【００３２】
ステータス管理ＤＢ１４ｇは、ポイント管理ＤＢ１４ｈ、グループメンバ管理ＤＢ１４ｊとグループメンバＩＤにより関連付けられている。そして、サポート管理ＤＢ１４ｋとグループメンバ管理ＤＢ１４ｊ、グループ管理ＤＢ１４ｌは、グループＩＤにより関連付けられている。即ち、これらの関係により、サポート管理ＤＢ１４ｋのサポート名、グループ管理ＤＢ１４ｌのグループ名、ステータス管理ＤＢ１４ｇのステータス、ポイント管理ＤＢ１４ｈのポイントが関連付けられることになる。
【００３３】
以下、図４のフローチャートを参照して、この発明の第１の実施の形態に係る仮想空間管理システムによる管理手順を詳細に説明する。
【００３４】
これは、第１の実施の形態に係る仮想空間管理方法にも相当する。
【００３５】
先ず、仮想空間で活動するにあたって、利用者端末２は管理サーバ１にアクセスしてe-mailアドレスの登録を行う（ステップＳ１）。このe-mailアドレスは制御部１１の登録情報取得管理機能１１ａにより取得され、ユーザＩＤと対応付けられて、ユーザ管理ＤＢ１４ａに登録される。このとき、管理サーバ１により、ユーザにログイン用のＩＤやパスワードが発行される。
【００３６】
次に、利用者端末２は、管理サーバ１にログインし（ステップＳ２）、ユーザが仮想空間ＶＷで活動する際に自身に代わるアバターのアバター名を管理サーバ１に登録する（ステップＳ３）。管理サーバ１では、制御部１１の登録情報取得管理機能１１ａにより、該アバター名がユーザＩＤと対応付けられてアバター管理ＤＢ１４ｇに登録される。
【００３７】
続いて、利用者端末２は、ＶＷサーバ４にログインする（ステップＳ４）。その後、携帯電話機３は、管理サーバ１にログインする（ステップＳ５）。そして、携帯電話機３は個体識別情報を管理サーバ１に送る。この管理サーバ１では、該個体識別情報が制御部１１の個体識別情報取得管理機能１１ｂにより取得され、ユーザＩＤと対応付けられてモバイル管理ＤＢ１４ｂに登録される（ステップＳ６）。そして、管理サーバ１は、制御部１１の表示制御機能１１ｃにより、メッセージを利用者端末２に表示するように促す（ステップＳ７）。このメッセージには、ヒント情報などが含まれる。
【００３８】
次に管理サーバ１の制御部１１の表示制御機能１１ｃにより、ＶＷサーバ４の提供する仮想世界ＶＷｎにおいてコード情報を表示する（ステップＳ８）。これは、利用者端末２の表示画面６においてオブジェクトとして表示される。そして、利用者端末２を操作することでアバターが移動し該オブジェクトに接触すると（ステップＳ９）、ＶＷサーバ４は管理サーバ１に対して接触情報を送信する（ステップＳ１０）。ここで、接触はオブジェクトから所定範囲内として定められた領域への入出であってもよい。
【００３９】
続いて、携帯電話機３は、そのＧＰＳ(Global Positioning Sensor)機能等により、位置情報を取得し、管理サーバ１に送信する（ステップＳ１１）。管理サーバ１では、制御部１１の位置情報取得機能１１ｅにより、その位置情報が位置管理ＤＢ１４ｅに登録される。こうして、携帯電話機３により、表示画面６のコード情報７が、その撮像機能により撮像されると（ステップＳ１２）、携帯電話機３においてコード情報７が解析され、コード解析情報が管理サーバ１に送信される（ステップＳ１３）。
【００４０】
従って、以上の処理手順によれば、
１）  メールアドレスの登録（Secure Level １）
２）  アバター名の登録    （Secure Level ２）
３）  個体識別情報の登録  （Secure Level ３）
４）  接触情報の登録      （Secure Level ４）
５）  位置情報の登録      （Secure Level ５）
６）  コード情報の登録    （Secure Level ６）
といった６重のセキュアレベルが確保される。即ち、換言すれば、これらの６重のセキュアレベルをクリアして、はじめてユーザあるいはユーザの行動が特定されるので、高いセキュリティが確保されることになる。
【００４１】
以上説明したように、本発明の第１の実施の形態によれば、以下が提供される。
【００４２】
携帯端末としての携帯電話機３、利用者端末２、仮想世界を実現するＶＷサーバ４と通信自在な管理サーバ１であって、ユーザＩＤと電子メールアドレスを対応付けた第１のＤＢとしてのユーザ管理ＤＢ１４ａと、ユーザＩＤとアバター名を対応付けた第２のＤＢとしてのアバター管理ＤＢ１４ｃと、ユーザＩＤと個体識別情報を対応付けたモバイル管理ＤＢ１４ｂと有する記憶部１４と、利用者端末に係るユーザの電子メールアドレス、仮想世界におけるアバター名を含む登録情報を取得しユーザＩＤと対応付けて管理する登録情報取得管理機能１１ａと、携帯端末の個体識別情報を取得しユーザＩＤと対応付けて管理する個体識別情報取得管理機能１１ｂと、アバターの仮想世界におけるオブジェクトへの接触を検出する接触検出機能１１ｄと、携帯電話機３からの位置情報を取得し管理する位置情報取得部機能１１ｅと、仮想世界においてコード情報を表示する表示制御機能１１ｃと、コード情報の解析結果であるコード解析情報を取得し管理するコード解析情報取得管理機能１１ｆと、ユーザＩＤと対応付けられているアバター名、個体識別情報により仮想世界におけるユーザの同一性を検出し、少なくとも前記接触の検出の結果並びに位置情報により仮想世界での活動を制限する主制御機能１１ｇを有する制御部１１と、を備える管理サーバが提供される。
【００４３】
これに加えて、ＶＷ名とワールドＩＤを記憶するワールド管理ＤＢ１４ｄを備え、複数の仮想世界における活動の中、前記主制御機能１１ｇにより、個体識別情報、ユーザのe-mailアドレス、アバター名、そしてＶＷ名を関連付けることで、複数の仮想世界におけるアバター名の同一性の検出を行うことを特徴としてもよい。
【００４４】
従って、第１の実施の形態によれば、メールアドレスの登録、アバター名の登録、個体識別情報の登録、接触情報の登録、位置情報の登録、コード識別情報の登録といった６つのセキュアレベルにより、複数の仮想空間にわたり行動するアバターの履歴を同一あるものとして認識し、なりすましや不正を防止することができる。
【００４５】
（第２の実施の形態）
【００４６】
次に本発明の第２の実施の形態に係る仮想空間管理システムを説明する。
【００４７】
この第２の実施の形態は、複数の仮想世界においてスタンプラリーを実施し、各仮想空間で得たポイントを総合的に換算することで勝者を特定するものである。また、グループ参加によるグループポイントも換算可能とするものである。
【００４８】
図５には、本発明の第２の実施の形態に係る仮想空間管理システムを用いたスタンプラリーの実施手順を概念的に示し説明する。このスタンプラリーは、図１の仮想空間管理システムの構成により実施される。ここでは、図１〜図３と同一構成については、同一符号を用いて説明する。また、基本的な処理手順は、図４に準拠する。
【００４９】
このスタンプラリーを実施開始すると、図５に示されるように、制御部１１の登録情報取得管理機能１１ａにより、利用者端末２により登録されたe-mailアドレス、アバター名を特定し（ステップＳ２１，Ｓ２２；セキュアレベル１，２）、個体識別情報取得管理機能１１ｂにより、ユーザの携帯電話機３により特定された個体識別情報を特定する（ステップＳ２３；セキュアレベル３）。この段階で、仮想世界ＶＷにおけるアバターのアバター名と携帯電話機３の個体識別情報とが対応付けられることになる。すなわち、換言すれば、仮想世界ＶＷの種別を超えて、ユーザの同一性が認識されることになる。
【００５０】
続いて、制御部１１の接触検出機能１１ｄにより、アバターＡ１の接触を検出する（ステップＳ２４；セキュアレベル４）。そして、制御部１１の位置情報取得機能１１ｅにより、携帯電話機３の位置情報を取得する（ステップＳ２５；セキュアレベル５）。
【００５１】
以上のセキュアレベル１〜５が確保された段階で、制御部１１の表示制御機能１１ｃによりコード情報７が表示画面６に表示される（ステップＳ２６；セキュアレベル６）。この例では、コード情報として、例えば２次元コード情報としてのＱＲコードが表示されることになる。より詳細には、スタンプラリーの各スタンプがＱＲコードとして表示画面６に表示されることになる。但し、これには限定されないことは勿論である。尚、コード情報の表示は別のウィンドウにより別途行ってもよい。
【００５２】
続いて、制御部１１のコード情報取得管理機能１１ｆにより携帯電話機３から送信されたコード解析情報を取得し（ステップＳ２７）、制御部１１の主制御機能１１ｇによりコード解析情報に対応するポイントを換算し、該ポイントをポイント管理ＤＢ１４ｈに登録する（ステップＳ２８）。また、制御部１１の主制御機能１１ｇによりグループ管理ＤＢ１４ｌが参照され、グループ名が特定されると（ステップＳ２９）、制御部１１の主制御部１１ｇにより、該グループのポイントとして換算される（ステップＳ３０）。
【００５３】
以上の処理手順により、少なくとも６重のセキュアレベルを得て、複数の仮想世界ＶＷにおけるアバターの同一性が認識され、該アバターのスタンプラリーに係る行動が特定され、獲得ポイントが換算され、換算結果がポイント管理ＤＢ１４にて管理される。
【００５４】
尚、複数のアバターからなるグループＧ１の接触が制御部１１の接触検出機能１１ｄにより検出された場合に、スタンプラリーに係るグループポイントを更に換算するようにしてもよい。この場合には、ポイントとは別途に設けられるグループポイントは、ポイント管理ＤＢ１４ｈにて併せて管理される。グループの位置については、位置管理ＤＢ１４ｅと特別ステータス管理ＤＢ１４ｉとの紐付けにより認識される。さらに、サポート者を別途設け、該サポート者がコメントをするようにしてもよい。この場合には、サポート管理ＤＢ１４ｋが制御部１１の主制御機能１１ｇにより参照される。
【００５５】
以上説明したように、本発明の第２の実施の形態によれば、以下が実現される。
【００５６】
携帯端末としての携帯電話機３、利用者端末２、仮想世界を実現するＶＷサーバ４と通信自在な管理サーバ１であって、ユーザＩＤと電子メールアドレスを対応付けた第１のＤＢとしてのユーザ管理ＤＢ１４ａと、ユーザＩＤとアバター名を対応付けた第２のＤＢとしてのアバター管理ＤＢ１４ｃと、ユーザＩＤと個体識別情報を対応付けたモバイル管理ＤＢ１４ｂと、有する記憶部１４を備える。さらに、利用者端末に係るユーザの電子メールアドレス、仮想世界におけるアバター名を含む登録情報を取得しユーザＩＤと対応付けて管理する登録情報取得管理機能１１ａと、携帯端末の個体識別情報を取得しユーザＩＤと対応付けて管理する個体識別情報取得管理機能１１ｂと、アバターの仮想世界におけるオブジェクトへの接触を検出する接触検出機能１１ｄと、携帯端末からの位置情報を取得し管理する位置情報取得部機能１１ｅと、仮想世界においてスタンプラリーに関わるスタンプ情報を表示する表示制御機能１１ｃと、スタンプ情報の解析結果であるコード解析情報を取得し管理するコード解析情報取得管理機能１１ｆと、ユーザＩＤと対応付けられているアバター名、個体識別情報により仮想世界におけるユーザの同一性を検出し、少なくとも前記接触の検出の結果並びに位置情報により仮想世界での活動を制限するとともに取得したスタンプのポイントをアバター毎にあるいは複数のアバターで構成されるグループ毎に管理する主制御機能１１ｇを有する制御部１１を備える。
【００５７】
これに加えて、ＶＷ名とワールドＩＤを記憶するワールド管理ＤＢ１４ｄを備え、複数の仮想世界におけるスタンプラリーに関わる活動の中、前記主制御機能１１ｇにより、個体識別情報、ユーザのe-mailアドレス、アバター名、そしてＶＷ名を関連付け、複数の仮想世界におけるアバター名の同一性の検出を行うようにしてもよい。
【００５８】
従って、複数の仮想世界ＶＷ１〜ＶＷｎにわたり横断的にスタンプラリーのイベントが実施される場合に、行動者であるアバターの同一性を携帯電話機の固体識別番号により認識し、その認識されたアバター、つまり利用者のポイントの関連性をふまえて、総合的なポイント換算を行うことができる。
【００５９】
（第３の実施の形態）
【００６０】
次に本発明の第３の実施の形態に係る仮想空間管理システムを説明する。
【００６１】
この第２の実施の形態は、仮想世界において研修を実施して、その時系列的な流れの中（ｔ１，ｔ２...）でアバターの研修への参加状況を把握するものである。
【００６２】
また、グループ参加によるグループ状況も把握可能とするものである。
【００６３】
図６には、本発明の第３の実施の形態に係る仮想空間管理システムを用いた研修の実施手順を概念的に示し説明する。この仮想世界における研修は、図１の仮想空間管理システムの構成により実施される。ここでは、図１〜図３と同一構成については、同一符号を用いて説明する。また、基本的な処理手順は、図４に準拠する。
【００６４】
この仮想世界における研修を開始すると、図６に示されるように、制御部１１の登録情報取得管理機能１１ａにより、利用者端末２により登録されたe-mailアドレス、アバター名を特定し（ステップＳ４１，Ｓ４２；セキュアレベル１，２）、個体識別情報取得管理機能１１ｂにより、ユーザの携帯電話機３により特定された個体識別情報を特定する（ステップＳ４３；セキュアレベル３）。この段階で、仮想世界ＶＷにおけるアバターのアバター名と携帯電話機３の個体識別情報とが対応付けられることになる。即ち、換言すれば、仮想世界ＶＷの種別を超えて、ユーザの同一性が認識される。
【００６５】
続いて、制御部１１の接触検出機能１１ｄにより、アバターＡ１の接触を検出する（ステップＳ４４；セキュアレベル４）。そして、制御部１１の位置情報取得機能１１ｅにより、携帯電話機３の位置情報を取得する（ステップＳ４５；セキュアレベル５）。
【００６６】
以上のセキュアレベル１〜５が確保された段階で、制御部１１の表示制御機能１１ｃによりコード情報７が表示画面６に表示される（ステップＳ２６；セキュアレベル６）。この例では、コード情報として、例えば２次元コード情報としてのＱＲコードが表示されることになる。より詳細には、研修の出欠票或いは効果確認問題がＱＲコードとして表示画面６に表示されることになる。但し、これには限定されないことは勿論である。コード情報の表示は別のウィンドウで行ってもよい。
【００６７】
続いて、制御部１１のコード情報取得管理機能１１ｆにより携帯電話機３から送信されたコード解析情報を取得し（ステップＳ４７）、制御部１１の主制御機能１１ｇによりコード解析情報に対応する出席ポイントを換算し、該出席ポイントをポイント管理ＤＢ１４ｈに登録する（ステップＳ４８）。また、制御部１１の主制御機能１１ｇによりグループ管理ＤＢ１４ｌが参照され、グループ名が特定されると（ステップＳ４９）、制御部１１の主制御部１１ｇにより、該グループの出席ポイントとしても換算される（ステップＳ５０）。尚、出欠票に変えて、効果確認問題がコード解析情報として取得された場合には表示制御機能１１ｃにより利用者端末２の表示画面６に表示するよう促してもよい。この場合には、効果確認問題に対する回答が管理サーバ１に送信され、上記出席ポイントに代えてポイントとして解答の正当数や得点が換算される。
【００６８】
以上の処理手順により、少なくとも６重のセキュアレベルを得て、複数の仮想世界ＶＷにおけるアバターの同一性が認識され、そのアバターの研修参加の可否が特定され、獲得した出席ポイントが換算され、その結果がポイント管理ＤＢ１４にて管理される。時間ｔ１を研修の開始、時間ｔ２を研修の終了とした場合、両時間において出席ポイントを確認した場合にはじめて出席とみとめるように前述した処理を２回行い、管理してもよい。また、時系列（ｔ）な流れの中で、所定のタイミング毎に複数回実施してもよい。
【００６９】
尚、複数のアバターからなるグループＧ１の全員の接触（参加）の制御部１１の接触検出機能１１ｄにより検出された場合に、グループ出席ポイントを換算するようにしてもよい。この場合には、グループ出席ポイントは、ポイント管理ＤＢ１４ｈにて併せて管理される。さらに、サポート者を別途設け、該サポート者が出題された効果確認問題に対してコメントをするようにしてもよい。この場合には、サポート管理ＤＢ１４ｋが制御部１１の主制御機能１１ｇにより参照される。
【００７０】
以上説明したように、本発明の第３の実施の形態によれば、以下が実現される。
【００７１】
携帯端末としての携帯電話機３、利用者端末２、仮想世界を実現するＶＷサーバ４と通信自在な管理サーバ１であって、ユーザＩＤと電子メールアドレスを対応付けた第１のＤＢとしてのユーザ管理ＤＢ１４ａと、ユーザＩＤとアバター名を対応付けた第２のＤＢとしてのアバター管理ＤＢ１４ｃと、ユーザＩＤと個体識別情報を対応付けたモバイル管理ＤＢ１４ｂと、有する記憶部１４を備える。さらに、利用者端末２に係るユーザの電子メールアドレス、仮想世界におけるアバター名を含む登録情報を取得しユーザＩＤと対応付けて管理する登録情報取得管理機能１１ａと、携帯電話機３の個体識別情報を取得しユーザＩＤと対応付けて管理する個体識別情報取得管理機能１１ｂと、アバターの仮想世界におけるクラス（研修）への参加を検出する接触検出機能１１ｄと、携帯電話機３からの位置情報を取得し管理する位置情報取得部機能１１ｅと、仮想世界において研修に関わる出欠情報あるいは効果確認試験の情報を表示する表示制御機能１１ｃと、該情報の解析結果であるコード解析情報を取得し管理するコード解析情報取得管理機能１１ｆと、ユーザＩＤと対応付けられているアバター名、個体識別情報により仮想世界におけるユーザの同一性を検出し、時系列の流れの中で出欠状況等を把握するとともに、取得した出欠ポイント等をアバター毎にあるいは複数のアバターで構成されるグループ毎に管理する主制御機能１１ｇを有する制御部１１を備える。
【００７２】
これに加えて、ＶＷ名とワールドＩＤを記憶するワールド管理ＤＢ１４ｄを備え、複数の仮想世界における研修に関わる活動の中、前記主制御機能１１ｇにより、個体識別情報、ユーザのe-mailアドレス、アバター名、そしてＶＷ名を関連付け、複数の仮想世界におけるアバター名の同一性の検出を行うようにしてもよい。
【００７３】
従って、第３の実施の形態によれば、仮想世界ＶＷ１〜ＶＷｎにて研修が実施される場合に、参加者であるアバターの同一性を携帯電話機の固体識別番号により認識し、認識されたアバター、あるいはグループ、つまり利用者（群）の総合的な出欠ポイント等の換算を行うことができる。
【００７４】
（第４の実施の形態）
【００７５】
次に本発明の第４の実施の形態に係る仮想空間管理システムを説明する。
【００７６】
この第４の実施の形態は、仮想世界において上映されるビデオ映像にコード情報を併せて表示し、携帯端末である携帯電話機３等により撮像し、コード解析可能とするものである。
【００７７】
図７には、本発明の第４の実施の形態に係る仮想空間管理システムを用いたビデオ上映の実施手順を概念的に示し説明する。このビデオ上映は、図１の仮想空間管理システムの構成により実施される。ここでは、図１〜図３と同一構成については、同一符号を用いて説明する。また、基本的な処理手順は、図４に準拠する。
【００７８】
この処理を開始すると、図７に示されるように、制御部１１の登録情報取得管理機能１１ａにより、利用者端末２により登録されたe-mailアドレス、アバター名を特定し（ステップＳ６１，Ｓ６２；セキュアレベル１，２）、個体識別情報取得管理機能１１ｂにより、ユーザの携帯電話機３により特定された個体識別情報を特定する（ステップＳ６３；セキュアレベル３）。この段階で、仮想世界ＶＷにおけるアバターのアバター名と携帯電話機３の個体識別情報とが対応付けられることになる。すなわち、換言すれば、仮想世界ＶＷの種別を超えて、ユーザの同一性が認識されることになる。
【００７９】
ここでは、説明は省略するが、制御部１１の接触検出機能１１ｄによるアバターＡ１の接触検出（セキュアレベル４）、制御部１１の位置情報取得機能１１ｅによる携帯電話機３の位置情報を取得（セキュアレベル５）を併用してもよい。
【００８０】
以上のセキュアレベル１〜３が確保された段階で、制御部１１の表示制御機能１１ｃによりコード情報がビデオ映像上映画面上に表示される。この例では、コード情報として、例えば２次元コード情報としてのＱＲコードが表示されることになる。但し、これには限定されないことは勿論である。
【００８１】
続いて、携帯電話機３によりコード情報を撮影し（ステップＳ６５）、撮影情報を取得し（ステップＳ６６）、コード情報を解析する（ステップＳ６７）。
【００８２】
以上の処理手順により、少なくとも３重のセキュアレベルを得て（必要に応じて６重のセキュアレベルを経て）、ビデオ映像上映画面にコード情報が表示され、コード情報を取得することが可能となる。
【００８３】
以上説明したように、本発明の第４の実施の形態によれば、以下が実現される。
【００８４】
携帯端末としての携帯電話機３、利用者端末２、仮想世界を実現するＶＷサーバ４と通信自在な管理サーバ１であって、ユーザＩＤと電子メールアドレスを対応付けた第１のＤＢとしてのユーザ管理ＤＢ１４ａと、ユーザＩＤとアバター名を対応付けた第２のＤＢとしてのアバター管理ＤＢ１４ｃと、ユーザＩＤと個体識別情報を対応付けたモバイル管理ＤＢ１４ｂと、有する記憶部１４を備える。さらに、利用者端末に係るユーザの電子メールアドレス、仮想世界におけるアバター名を含む登録情報を取得しユーザＩＤと対応付けて管理する登録情報取得管理機能１１ａと、携帯端末の個体識別情報を取得しユーザＩＤと対応付けて管理する個体識別情報取得管理機能１１ｂと、仮想世界においてビデオ映像の上映中に画面にコード情報を表示する表示制御機能１１ｃと、を有する制御部１１を備え、携帯電話機３によるコード情報の取得が可能となる。
【００８５】
（第５の実施形態）
【００８６】
次に本発明の第５の実施形態について説明する。前述した実施形態は、複数のネット上の仮想世界ＶＷ１〜ＶＷｎにバーコード（前例では、ＱＲコード）を設置し、携帯電話機３のカメラで撮影することで、個人を限定し、成りすましを防止する仕組みを提案している。ネット上の仮想世界ＶＷ１〜ＶＷｎの複数にＩＤ登録している場合、この仕組みを使うと、アバターの容姿が異なったとしても、操作する本人は一致していることを承認することができる。ネット上の仮想世界ＶＷ１〜ＶＷｎでの匿名性を維持した状態で本人特定できることは、様々な面で利用価値がある。
【００８７】
次に第５の実施形態は、仮想世界ＶＷ１〜ＶＷｎやＷｅｂ上に存在するアバターを含めた３ＤＣＧ（3 dimensional Computer Graphics）の対象にＱＲコードを貼り付けておき、該ＱＲコードを基にその３ＤＣＧの著作者、著作権等を管理する仕組みを提供するものである。一般に、全ての生物に遺伝子があるように、３ＤＣＧにもＱＲコードの遺伝子を入れ込み、携帯電話機３のカメラ撮影による識別で、著作者等を特定・追跡する「電子透かし」という考え方である。
【００８８】
その制作手順は以下の通りである。尚、以下の制作手順に関わる管理サーバ１の構成は図８に示され、著作権管理ＤＢ１４ｍの構成は図９に示される。
【００８９】
ａ１）  ３ＤＣＧソフトウェアやＣＡＤソフトウェアで、何からの形状、質感、アニメーションが設定されたオブジェクトをユーザが制作する。質感データとは、基本的にはデジタルカメラで撮影された画像や動画でも制作可能であるので、デジタルコンテンツ全てに適応させることもできる。
【００９０】
ａ２）  ３ＤＣＧデータをネット仮想世界ＶＷ１〜ＶＷｎで公開する際のフォーマットは問わず、形状、質感、アニメーション等の様々な要素から、所定の計算手段に基づいてチェック用数値データ「チェックサム」を生成させる。このデータと元データとを別に管理し、照合して一致すれば同一であるという確認ができる。チェックサムは１２８ｂｉｔ暗号化がされている。例えば、ＳＨＡチェックサムを採用することもできる。
【００９１】
尚、ＳＨＡとは、電子署名を必要とするアプリケーション向けに開発されたもので、ＲＳＡで署名を生成する際に、メッセージを直接対象として署名を生成するのではなく、メッセージのハッシュ値を生成し、ハッシュ値に対して署名を生成するものである。このＳＨＡは、例えば、ファイルを転送時に該ファイルが破損していないことを確認するためにも用いられる。配布する側は、ファイル配布時に該ファイルのＳＨＡハッシュ値である「ＳＨＡチェックサム」も同時に配布する。受信ユーザはファイルのＳＨＡ値を計算し、配布者の提示したＳＨＡ値と一致することを確認すれば良いことになる。
【００９２】
ａ３）  続いて、制御部１１は、ＱＲコード生成機能１１ｈにより、「チェックサム」の値からＱＲコードを生成する。
【００９３】
ａ４）  生成したＱＲコードをオブジェクトに例えば板状に貼り付ける。これはソフトウェア処理により行われるもので、表示・非表示をユーザ側で自由に操作でき、３ＤＣＧのデザイン表現に異物を出すものではない。
【００９４】
ａ５）  ３ＤＣＧデータを作成したユーザは、該３ＤＣＧに貼り付けられたＱＲコードを携帯電話機３のカメラで撮影する。この際に複数のネット上の仮想世界ＶＷ１〜ＶＷｎでも一向に問題はないことは、本発明の本来の能力である。
【００９５】
ａ６）  制御部１１は、著作権管理機能１１ｉにより、ＱＲコードと携帯電話機３の個体識別番号でアバターから個人を特定するための、ユーザ管理ＤＢ１４ａ、モバイル管理ＤＢ１４ｂ、アバター管理ＤＢ１４ｃに、著作権情報を持つ３ＤＣＧデータを著作権管理ＤＢ１４ｍで紐付けて管理する。この時点で、３ＤＣＧの作者は、著作物に対して、フリー、利用限定、販売、一切の複製を禁止、といった著作権情報を、携帯電話機３から設定することができる。３ＤＣＧデータを入手する際に決済が発生する場合には、この時点で携帯電話機によって行うことで個人認証も併用できる。
【００９６】
ａ７）  別のユーザが、このデータを入手しようとする場合、物体に内包されるＱＲコードを表示し、携帯電話機３のカメラで撮影する。すると、著作権管理ＤＢ１４ｍへアクセスがなされ、その３ＤＣＧデータが誰の所有であるのか確認することができ、著作権フリーなのか、利用限定なのか、販売されているのか、一切の複製を禁ずるのかが明記されているので、著作権情報を確認することができる。
【００９７】
ａ８）  データを有料・無料を問わず、ＱＲコードを携帯電話機３で撮影しない限り３ＤＣＧデータのダウンロードを開始できないようにする。これにより、いつ、誰が、いくつ複製が配布されたか、著作者が追跡できる。もちろん、クレジットカード・電子マネー決済でデータ販売の利潤を得ることができる。
【００９８】
ａ９）  何らかの形でダウンロードしたデータを、ＣＧソフトウェアや特定のアプリケーションソフトウェアで改ざん・追加・修正したとする。このように改ざん・追加・修正されたデータをネット仮想世界ＶＷ１〜ＶＷｎへアップロードする際には、チェックサムデータと形状が不一致を起こす。このようにチェックサムデータと形状が不一致を起こした場合には、アップロードできないようにする。
【００９９】
ａ１０）  上記ａ９の場合には、新たなＱＲコードを作成し、自分が新たな著作権に変更したデータにしたことを証明するため、ａ２〜ａ６の手続きを踏む。この際に元の制作者のデータに上書きされるのではなく、元のＱＲコードに遺伝子のように祖先と子孫として紐付けたデータとなって受け次がれる。
【０１００】
ａ１１）  これは、第５の実施形態が、ネット上の仮想世界ＶＷ１〜ＶＷｎの範囲であれば、携帯電話機３とＱＲコードがあれば、３ＤＣＧだけでなく、画像・動画の著作権を保護し、製作者の権利を管理することが可能である発明であることを意味する。
【０１０１】
以上説明したように、本発明の第５の実施の形態によれば、以下が実現される。
【０１０２】
即ち、３ＤＣＧデータのチェック用数値データであるチェックサムを生成し、当該チェックサムからＱＲコードを生成するＱＲコード生成手段と、少なくとも、上記ＱＲコードと、当該ＱＲコードが付される３ＤＣＧデータと、当該３ＤＣＧデータの著作権情報とを対応付けて管理する著作権管理データベースと、携帯電話機により３ＤＣＧデータに付されたＱＲコードが撮影された場合には、上記著作権管理データベースに基いて、そのＱＲコードが付された３ＤＣＧデータが誰の所有にかかるものであるのか著作権情報を提示するように促す著作権管理手段と、を備えたことを特徴とする。
【０１０３】
また、３ＤＣＧデータを改ざんか追加、或いは修正した場合、当該改ざんか追加、或いは修正されたデータをネット上の仮想世界にアップロードする際には、チェックサムデータと３ＤＣＧデータの形状が不一致を起こすので、アップロードを禁止する主制御手段を更に備えたことを特徴とする。
【０１０４】
以上詳述したように、本発明の上記実施の形態によれば、管理サーバにより複数のＤＢをリレーショナルな関係の下で統括管理することで、複数の仮想空間にわたって活動するアバターの同一性、活動の関連性を把握することを可能とし、該活動に関わるポイントを関連性のあるものとして管理する仮想空間管理システム、仮想空間管理方法、管理サーバ及びプログラムを提供することができる。
【０１０５】
尚、本発明は上記実施の形態に限定されることなく、その趣旨を逸脱しない範囲で種々の改良・変更が可能であることは勿論である。
【０１０６】
例えば、仮想空間管理システムの適用先は、前述したスタンプラリー、研修に限定されることなく、種々のイベント等に適用可能であることは勿論である。
また、前述した実施の形態では、アバターが仮想世界の中に表示される例を示したが、これに限定されないことは勿論であり、たとえばカメラなどのツール、あるいはユーザの視界のみを表示するようにしてもよいことは勿論である。
さらに、前述したセキュアレベル１〜６の少なくともいずれかが不一致（不認証）の場合に、仮想世界から強制的に脱出されるようにしてもよいことは勿論である。
【符号の説明】
【０１０７】
１  管理サーバ
２  利用者端末
３  携帯電話機
４  ＶＷサーバ
５  ネットワーク
６  表示画面
７  コード情報
【図１】
0005538066.tif 000002
【図２】
0005538066.tif 000003
【図３】
0005538066.tif 000004
【図４】
0005538066.tif 000005
【図５】
0005538066.tif 000006
【図６】
0005538066.tif 000007
【図７】
0005538066.tif 000008
【図８】
0005538066.tif 000009
【図９】
0005538066.tif 000010